(57)【要約】【課題】焼き付きによる画質劣化のない表示装置を提供する。【解決手段】表示装置１００は、表示パネル１、駆動部２、駆動制御回路３、表示位置移動手段２３、及び表示位置補正手段４を有する。表示位置補正手段４は、表示パネル１の表示画像の表示サイズの違いによる発光素子が点灯しない領域の平均画像データと、該発光素子が点灯しない領域以外の領域の平均画像データとを一定周期で積算し、発光素子が点灯しない領域とそれ以外の領域の劣化量の差を見積もり、見積もった各領域の劣化量と移動情報を用いて、発光素子が点灯しない領域とそれ以外の領域、及び該２領域の境界付近の輝度補正量を算出し、輝度補正量を入力された映像信号に加えて、補正映像信号を出力する。【選択図】図１
2013250467.tif 000002
【特許請求の範囲】
【請求項１】
各画素が発光素子で構成された表示パネルと、
前記表示パネルの各画素を構成する発光素子に電力を供給する駆動部と、
映像信号に応じて前記駆動部を制御する駆動制御回路と、
表示画像の表示原点を少なくとも１ドット以上移動させて表示させる表示位置移動手段と、
前記表示位置移動手段がサンプリングした画像データを処理して、入力された映像信号を補正する表示位置補正手段と、
を有し、
前記表示位置補正手段は、
前記表示パネルの表示画像の表示サイズの違いによる発光素子が点灯しない領域の平均画像データと、該発光素子が点灯しない領域以外の領域の平均画像データとを一定周期で積算し、前記発光素子が点灯しない領域とそれ以外の領域の劣化量の差を見積もり、
見積もった各領域の劣化量と前記表示位置移動手段がサンプリングする移動情報とを用いて、前記発光素子が点灯しない領域とそれ以外の領域、及び該２領域の境界付近の輝度補正量を算出し、
前記輝度補正量を入力された映像信号に加えて、補正映像信号を出力することを特徴とする表示装置。
【請求項２】
前記表示位置補正手段は、前記表示原点の移動軌跡を記録したデータを移動情報として用いて、入力された前記映像信号を補正することを特徴とする請求項１に記載の表示装置。
【請求項３】
前記表示位置補正手段は、前記画像データの移動位置の期待値を移動情報として用いて、入力された前記映像信号を補正することを特徴とする請求項１に記載の表示装置。
【請求項４】
表示パネルの表示画像の表示サイズの違いによる発光素子が点灯しない領域の平均画像データと、該発光素子が点灯しない領域以外の領域の平均画像データとを一定周期で積算し、前記発光素子が点灯しない領域とそれ以外の領域の劣化量の差を見積もる手順と、
見積もった各領域の劣化量とサンプリングされた移動情報とを用いて、前記発光素子が点灯しない領域とそれ以外の領域、及び該２領域の境界付近の輝度補正量を算出する手順と、
前記輝度補正量を入力された映像信号に加えて、補正映像信号を出力する手順と、
を有することを特徴とする表示装置の駆動方法。
【請求項５】
前記移動情報として、表示画像の表示原点の移動軌跡のデータを用いて、入力された前記映像信号を補正することを特徴とする請求項４に記載の表示装置の駆動方法。
【請求項６】
前記移動情報として、前記画像データの移動位置の期待値を用いて、入力された前記映像信号を補正することを特徴とする請求項４に記載の表示装置の駆動方法。
【発明の詳細な説明】
【技術分野】
【０００１】
本発明は、同一の表示パネルで表示サイズの異なる映像を切り替え表示しても、焼き付きのない良好な表示が可能な表示装置、及びその駆動方法に関する。
【背景技術】
【０００２】
有機エレクトロルミネッセンス（ＥＬ）ディスプレイは、マトリクス状に配置した各画素が有機ＥＬ素子で構成されている。有機ＥＬディスプレイは、動画の高速表示が可能で色再現性に優れている反面、各画素を構成する有機ＥＬ素子の発光輝度が点灯により低下する。
【０００３】
有機ＥＬディスプレイにおいて、例えば、黒い背景に白い固定パターンを表示する場合、背景の黒い部分は点灯しないが、固定パターンの白い部分は点灯する。したがって、有機ＥＬディスプレイの使用に伴い、固定パターンを表示する白い部分は、背景の黒い部分よりも輝度が低下して暗くなる。よって、有機ＥＬディスプレイの全面を均一に点灯して画像表示させると、輝度の低下した部分が文字や絵のように認識されてしまう。
【０００４】
つまり、有機ＥＬディスプレイの部分的輝度の低下は「焼き付き」現象として認識され、画質が著しく悪化する。特に、デジタルカメラ等のモニタとして有機ＥＬディスプレイを用いる場合、撮影条件がアイコンや文字などの固定パターンで表示されるため、当該固定パターンが焼き付きとして認識される。
【０００５】
また、同一の有機ＥＬディスプレイ（表示パネル）で縦横比の異なる映像を切り替えて表示する場合に、帯状の焼き付きが生じることがある。例えば、デジタルカメラ等の撮像装置のモニタでは、表示サイズを異ならせて映像表示する場合がある。すなわち、写真撮影時は縦横比２対３で表示するのに対し、動画撮影時は縦横比９対１６で表示するような場合である。
【０００６】
図１１は、帯状の焼き付きが生じる状況の説明に供する図である。
【０００７】
図１１（ａ）に示すように、例えば、縦横比２対３の有機ＥＬディスプレイ（表示パネル）に縦横比９対１６で映像表示した場合、中央の表示領域１２の上下には、表示サイズの違いによって映像表示されない黒い帯状の領域１１，１３が生じる。この帯状の領域１１，１３は輝度が低下しない。したがって、表示パネルを長時間使用した後に、縦横比２対３で表示パネル全面を均一に点灯させて画像表示させると、図１１（ｂ）に示すように、帯状の領域１１，１３は他の領域１２よりも明るく認識される。即ち、同一の表示パネルで表示サイズを異ならせる場合にも焼き付きとして認識され、画質が著しく悪化する。
【０００８】
有機ＥＬディスプレイの焼き付きを抑制する技術としては、例えば、表示する画像の位置を移動させて輝度変化を分散させることで、固定パターンによる焼き付きを抑制する技術が提案されている（特許文献１参照）。
【０００９】
また、有機ＥＬ素子の変化を補償して焼き付き抑制する技術が提案されている（特許文献２参照）。特許文献２の技術は、有機ＥＬ素子の画素毎の入力画像データを一定周期で積算し、全ての画素の積算値の最大値から各画素の積算時間を減算した値に応じて対応する画像データを補正し、各素子の輝度の低下を画素単位で補う技術である。
【先行技術文献】
【特許文献】
【００１０】
【特許文献１】特許第４４７１２５８号公報
【特許文献２】特許第３９３３４８５号公報
【発明の概要】
【発明が解決しようとする課題】
【００１１】
ところで、特許文献１の表示画像の位置移動により焼き付きを抑制する技術は、表示画像の位置変化量が大きいとユーザーが変化に気づいて違和感を覚えるため、変化量が制限される。細い線や小さな文字、小さなアイコン等については、表示画像の位置変化量を小さくしても、輝度変化を分散させて焼き付きを抑制する効果がある。
【００１２】
しかし、図１１（ａ）に示す表示サイズの違いによる帯状の領域１１，１３のように大きな領域に対しては周辺輝度変化の分散効果が小さく、焼き付きを十分に抑制することができない。
【００１３】
また、特許文献２の有機ＥＬ素子の変化を補償する技術は、全ての画素毎に画像データを保存するため、補償のためのコストが増大する。例えば、９２万画素の有機ＥＬディスプレイでは、９２万画素の各画素について画像データを積算しなければならないため、画像データの保存に大容量のメモリを要し、補償のためのコストが増大する。
【００１４】
本発明は、上記の事情に鑑みて創案されたものであり、固定パターンの焼き付きを抑制すると共に、表示サイズの違いによって生じる帯状領域の焼き付きを抑制でき、焼き付きによる画質劣化のない表示装置、及びその駆動方法の提供を目的とする。
【課題を解決するための手段】
【００１５】
上記目的を達成するための本発明に係る表示装置は、各画素が発光素子で構成された表示パネルと、
前記表示パネルの各画素を構成する発光素子に電力を供給する駆動部と、
映像信号に応じて前記駆動部を制御する駆動制御回路と、
表示画像の表示原点を少なくとも１ドット以上移動させて表示させる表示位置移動手段と、
前記表示位置移動手段がサンプリングした画像データを処理して、入力された映像信号を補正する表示位置補正手段と、を有する。
【００１６】
前記表示位置補正手段は、前記表示パネルの表示画像の表示サイズの違いによる発光素子が点灯しない領域の平均画像データと、該発光素子が点灯しない領域以外の領域の平均画像データとを一定周期で積算する。これらの積算値から、前記発光素子が点灯しない領域とそれ以外の領域の劣化量の差を見積もる。見積もった各領域の劣化量と前記表示位置移動手段がサンプリングした移動情報とを用いて、前記発光素子が点灯しない領域とそれ以外の領域、及び該２領域の境界付近の輝度補正量を算出し、前記輝度補正量を入力された映像信号に加えて、補正映像信号を出力することを特徴とする。
【００１７】
本発明に係る表示装置の駆動方法は、表示パネルの表示画像の表示サイズの違いによる発光素子が点灯しない領域の平均画像データと、該発光素子が点灯しない領域以外の領域の平均画像データとを一定周期で積算し、前記発光素子が点灯しない領域とそれ以外の領域の劣化量の差を見積もる手順と、
見積もった各領域の劣化量とサンプリングした移動情報とを用いて、前記発光素子が点灯しない領域とそれ以外の領域、及び該２領域の境界付近の輝度補正量を算出する手順と、
前記輝度補正量を入力された映像信号に加えて、補正映像信号を出力する手順と、
を有することを特徴とする。
【発明の効果】
【００１８】
本発明の表示位置補正手段は、表示位置移動手段がサンプリングした画像データを処理して、入力された映像信号を補正するので、発光素子の変化の補償と画像の表示位置の移動とを組み合わせた場合の誤補正を防止することができる。
【００１９】
したがって、細い線や小さな文字、小さなアイコン表示などの表示パネル全面にわたって表示される固定パターンの焼き付きが抑制されると共に、表示サイズの違いによる発光素子が点灯しない帯状の領域のような面積の大きな領域の焼き付きが抑制される。よって本発明によれば、焼き付きによる画質劣化のない良好な表示が可能な表示装置が実現される。
【図面の簡単な説明】
【００２０】
【図１】本実施形態の表示装置の構成を示す概略図である。
【図２】各画素の輝度補正と表示位置移動を合わせた場合の不具合の説明に供する図である。
【図３】帯状領域が表示されている時の表示パネルにおける各領域の説明に供する図である。
【図４】帯状の領域と画像表示領域との境界を画素レベルで示す概念図である。
【図５】表示パネルにおける表示位置の移動状況の説明に供する概念図である。
【図６】帯状の領域と画像表示領域との境界の変化の説明に供する概念図である。
【図７】実施形態１において、劣化量と補正量の関係の説明に供する概念図である。
【図８】実施形態２において、表示位置の移動の説明に供する図である。
【図９】実施例２において、劣化量と補正量の関係の説明に供する図である。
【図１０】平均輝度の時間積算量と初期輝度に対する輝度劣化の割合との関係を示す図である。
【図１１】帯状の焼き付きが生じる状況の説明に供する図である。
【発明を実施するための形態】
【００２１】
以下、図面を参照して、本実施形態の表示装置、及びその駆動方法を説明する。
【００２２】
＜表示装置の構成＞
まず図１および図３を参照して、本実施形態の表示装置の構成について説明する。図１は、本実施形態の表示装置の構成を示す概略図である。図３は、帯状領域が表示されている時の表示パネルにおける各領域の説明に供する図である。
【００２３】
図１に示すように、本実施形態の表示装置１００は、表示パネル１、駆動部２、駆動制御回路３及び映像信号補正部４を備えている。
【００２４】
表示パネル１は、画像を表示するフラットパネル型のディスプレイである。表示パネル１としては、各画素が自発光型発光素子である有機ＥＬ素子で構成された有機ＥＬディスプレイを採用する。有機ＥＬディスプレイ１は、複数の有機ＥＬ素子１がマトリクス状に配置されている。
【００２５】
駆動部２は、表示パネル１の各画素である有機ＥＬ素子に電力を供給する回路である。駆動部２は、レベルシフタ２１、ラッチ回路２２及びシフトレジスタ２３を備えている。
【００２６】
レベルシフタ２１は、電圧レベルの異なる二つのデジタル回路間で、論理レベルを変換する回路である。レベルシフタ２１は、駆動部２の行方向と桁方向との双方に備えられる。
【００２７】
ラッチ回路２２は、１ビットの情報を一時的に保持する記憶回路である。ラッチ回路２２は、駆動部２の桁方向に備えられるが、これに限定されない。
【００２８】
シフトレジスタ２３は、映像データをサンプリングして記憶し、記憶データの桁をシフトさせる記憶回路である。本実施形態のシフトレジスタ２３は、表示画像の表示原点を少なくとも１ドット以上移動させて表示させる表示位置移動手段として機能する。シフトレジスタ２３は、駆動部２の行方向と桁方向との双方に備えられる。
【００２９】
駆動制御回路３は、映像信号に応じて駆動部２を制御する回路である。駆動制御回路３は、シフトレジスタ２３のサンプリングのタイミングを制御することで、表示パネル１における表示位置を移動させることができる。本発明における特徴として、表示位置の移動情報は駆動制御回路３から映像信号補正部４へ送られる。
【００３０】
映像信号補正部４は、映像信号を補正する回路であり、本発明における表示位置補正手段として機能する。映像信号補正部４は、輝度劣化量の特性テーブル等を記憶する記憶部４１と、映像信号を補正する補正データ作成部４２とを備える。記憶部４１は、例えば不揮発性メモリによって構成される。映像信号補正部４は、シフトレジスタ２３がサンプリングした画像データを処理して、入力された映像信号を補正データ作成部４２で補正して駆動制御回路３へと返送する。
【００３１】
即ち映像信号補正部４は、まず、表示サイズの違いによる帯状の領域１１，１３の平均画像データと当該帯状領域以外の領域１２の平均画像データとを一定周期で積算し、帯状領域１１，１３とそれ以外の領域１２の劣化量の差を見積もる（図３参照）。次に補正データ作成部４２は、見積もった各領域の劣化量と駆動制御回路３から送られてきた移動情報を用いて、帯状領域１１とそれ以外の領域１２、及び当該２領域の境界付近の輝度補正量を算出する。そして映像信号補正部４は、輝度補正量を入力映像信号に加え、補正映像信号として駆動制御回路３へと出力する。
【００３２】
映像信号補正部４は、画像データの積算値から輝度劣化量を見積もる特性テーブルを記憶部４１に備えており、帯状領域１１，１３の輝度劣化とそれ以外の画像表示領域の輝度劣化量とを見積もることができる。
【００３３】
また映像信号補正部４の記憶部４１は、移動情報として、シフトレジスタ２３がサンプリングする表示画像の表示原点の移動軌跡のデータ、及び移動位置の期待値を記憶している。即ち映像信号補正部４は、表示画像の表示原点の移動軌跡を記録したデータを移動情報として用いて、入力された映像信号を補正する。また映像信号補正部４は、画像データの移動位置の期待値を移動情報として用いて、入力された映像信号を補正する。
【００３４】
＜表示装置の作用、駆動方法＞
次に図１から図１０を参照して、本実施形態の表示装置１００の作用と共に、本実施形態の表示装置１００の駆動方法について説明する。
【００３５】
従来、細い線や小さな文字、小さなアイコン表示などの表示パネル全面にわたって表示される固定パターンについては、画像移動により焼き付きを抑制する技術が提案されている。また表示サイズの違いによる帯状領域のような面積の大きな領域については、有機ＥＬ素子の変化を補償して焼き付き抑制する技術が提案されている。これらの技術を組み合わせることで、双方の焼き付き現象を抑制できると考えられる。
【００３６】
しかしながら実際には、画像移動により焼き付きを抑制する技術と有機ＥＬ素子の変化を補償して焼き付きを抑制する技術とを単に組み合わせるだけでは誤補正が生じ、却って焼き付き現象を目立たせることになってしまう。
【００３７】
有機ＥＬ素子の変化を補償する際に積算される画像データは、有機ＥＬディスプレイ（表示パネル）が搭載される撮像装置等から入力される画像データである。しかし、実際に撮像装置等の表示パネルに表示される画像は移動し、表示パネルに表示される移動画像のデータと、有機ＥＬ素子の変化を補償するために画素毎に記録されるデータとは異なることになる。
【００３８】
図２は、各画素の輝度補正と表示位置移動を合わせた場合の不具合の説明に供する図である。
【００３９】
図２（ａ）に示す表示サイズの違いによる黒い帯状の領域１１とそれ以外の画像を表示している領域１２の境界部のうちの一列の画素の表示を図２（ｂ）に示す。即ち図２（ｂ）は、表示位置の移動を１画素ずつ上から下にＮ回動かした場合の境界部の点灯の様子を列を横にして模したものである。
【００４０】
表示位置の移動がない場合（図２（ｂ）左参照）は、ｎ回移動するごとに相当時間の点灯により劣化した状態と積算した画像に基づいて作成した補正データの対応がとれているため、補正後に焼き付きが解消される（図２（ｃ）左参照）。
【００４１】
一方、表示位置の移動を行った場合、表示サイズの違いによる帯状領域１１と画像を表示している領域１２の境界部では点灯時間が画素毎に異なるため、輝度劣化が図２（ｃ）右の様になる。補正データは表示位置の移動のない図２（ｃ）左と同じものであるため、補正後の表示は、図２（ｃ）右に示すように境界部で輝度差が生じてしまう。これにより、却って帯状領域１２と画像を表示している領域１２との境界付近に輝線や暗線が見えるなどして目立ってしまい、画質を低下させる。
【００４２】
そこで、全ての画素に対して変化を補償するのではなく、例えば、図３（ａ）に示す表示サイズの違いによる帯状の領域１１の焼き付きだけに限定して考える。即ち、表示サイズの違いによる帯状領域１１の平均画像データと帯状領域以外の領域１２の平均画像データとを一定周期で積算する。そして、帯状領域以外の領域１２の積算平均画像データから帯状領域１１の積算平均画像データを減算した値に応じて、対応する帯状領域１１の画像データを補正する場合は、保存するデータ量を削減でき、補償のためのコストを低減することができる。
【００４３】
本実施形態の駆動方法は、まず、表示パネル１の表示画像の表示サイズの違いによる発光素子が点灯しない帯状の領域１１の平均画像データと、当該帯状領域１１以外の領域の平均画像データとを一定周期で積算する。さらに、この積算値を用いて、帯状領域１１とそれ以外の領域１２の劣化量の差を見積もる手順が実施される。
【００４４】
次に本実施形態の駆動方法は、見積もった各領域１１，１２の劣化量と移動情報を用いて、帯状領域１１とそれ以外の領域１２、及び該２領域１１，１２の境界付近の輝度補正量を算出する手順が実施される。
【００４５】
そして本実施形態の駆動方法は、上記の輝度補正量を入力された映像信号に加えて、補正映像信号を駆動制御回路３へと出力する手順が実施される。
【００４６】
移動情報としては、シフトレジスタ２３でサンプリングされた表示画像の表示原点の移動軌跡のデータ、及び画像データの移動位置の期待値を用いる。即ち本実施形態の駆動方法は、表示画像の表示原点の移動軌跡のデータを移動情報として用いて、入力された映像信号を補正する。また本実施形態の駆動方法は、画像データの移動位置の期待値を移動情報として用いて、入力された映像信号を補正する。
【００４７】
以下、実施形態１と実施形態２に分けて、本実施形態の駆動方法を具体的に説明する。
【００４８】
［実施形態１の駆動方法］
本実施形態の駆動方法は、表示位置補正手段としての映像信号補正部４の補正データを生成する動作に特徴を有する。
【００４９】
再び図３を参照して、表示パネル１の中央部には、当該表示パネル１の縦横比と異なる縦横比の画像が表示されている。ここでは、この画像が表示された領域を画像表示領域１２という。画像表示領域１２の縦横比が表示パネル１の縦横比と異なるため、画像表示領域１２の上下には、何も表示されない黒い帯状の領域１１，１３が存在する。
【００５０】
表示パネル１に縦横比の異なる画像を表示する際に、当該表示パネル１の分解能を最も損なわないようにするには、表示パネル１の長辺方向に沿って帯状領域１１，１３を生じさせるように、表示パネル１のサイズを決めることが望ましい。本実施形態では、説明の便宜上から、長辺方向に沿った帯状領域１１，１３について説明するが、短辺方向についても考え方は全く同じである。
【００５１】
図４は、帯状の領域と画像表示領域との境界を画素レベルで示す概念図である。
【００５２】
図４は、図３における帯状の領域１１と画像表示領域１２との境界部におけるＡ部分を取り出して示している。図４において、小さな各正方形は１画素を表している。即ち図４は、縦に６画素、横に７画素を取り出して示している。図４に示すように、縦方向のＩＩＩとＩＶの間が帯状の領域１１と画像表示領域１２との境界部となる。なお、図４は後述の図６の説明に用いる。
【００５３】
図５は、表示パネルにおける表示位置の移動状況の説明に供する概念図である。
【００５４】
図５は、シフトレジスタ２３（図１参照）のサンプリングのタイミングを制御することによって表示位置を移動させる状況の一例を示している。図５において、小さな各正方形は画素を表している。
【００５５】
図５に示すように、縦位置Ｉ〜ＶＩ、横位置ａ〜ｅの画素で移動させる場合について考える。図５において、Ｎ〜Ｎ＋５は表示パネルにおける表示位置の変化順を示している。Ｎ以前、Ｎ＋５以降においても制御は続いているが、説明の便宜上から、Ｎ〜Ｎ＋５の変化部分を用いる。
【００５６】
図５に示すように表示パネルにおける表示位置を変化させた場合、図４で境界部を取り出した部分における表示位置の変化は図６に示したようになる。
【００５７】
図６は、帯状の領域と画像表示領域との境界の変化の説明に供する概念図である。
【００５８】
図６では図４のａ列のみを示しているが、他の列でも全く同様の変化を示す。ここで、実際に表示位置を移動させた例は図５に示した位置になる。しかし、本実施形態では、長辺方向に沿って黒い帯状領域１１（図３参照）が横に生じる場合、即ち焼き付きが横方向に生じる場合を議論することから、図６に示すように縦方向の成分のみを考慮する。なお、帯状領域が短辺方向（縦方向）に沿って生じる場合の表示パネルであっても、全く同様の構成で対応できる。
【００５９】
また図６の縦方向の位置情報は、図１の駆動制御回路３から送られてくる情報であり、本発明における特徴的な部分である。
【００６０】
図６に示すように、初めのＮでは縦方向のＩＩの位置まで点灯しており、ＩＩＩ〜ＶＩは点灯しない黒い帯状の領域となっている。ここで点灯している画素Ｉ、ＩＩは帯状領域以外の領域、即ち図３の画像表示領域１２における平均輝度で発光していると考える。これは、主に画像表示領域１２には自然画像等が表示され、映像が変化している。そのため、画像表示領域１２の平均輝度で概ね劣化量が推定できることから、図１０に示すように妥当性が確かめられている。
【００６１】
図１０は、平均輝度の時間積算量と初期輝度に対する輝度劣化の割合との関係を示す図である。
【００６２】
図１０の特性テーブルに示すように、平均輝度の時間積算量に対する輝度劣化特性は安定しており、平均輝度積算量を求めることで劣化量が算出できる。また表示する画像によっては、輝度が画像表示領域１２において内分布をもつ可能性がある。しかし、自然画像やＴＶ画像等の変化する映像を表示するアプリケーションの場合は、積算輝度に影響を与えるほど大きくない。なお、上述の平均輝度は、表示パネルの表示特性等を考慮して、画像データから演算によって求める。
【００６３】
図６のＮ＋３とＮ＋４は、点灯しない帯状の領域がない表示の場合を示している。帯状の領域がない場合でも、表示位置の移動は生じている。
【００６４】
ＮからＮ＋５まで表示位置が推移した時、Ｉの画素はＬN〜ＬN+5まで変化し、積算輝度は全体の和（ＳI＝ΣＬNとする）で表わされる。またＩＩＩのように黒帯状の非点灯領域を表示した場合は、積算輝度をゼロとして算出する。即ちＳIIIは…＋０＋ＬN+1＋０＋ＬN+3＋ＬN+4＋ＬN+5＋…という様に加算していく。
【００６５】
輝度の補正は、帯状領域、及び帯状領域と画像表示領域との境界周辺で行なう。即ち図３の帯状領域１１、及び帯状領域１１と画像表示領域１２との境界近傍（境界が表示位置の移動によって動く範囲）、帯状領域１３、及び帯状領域１３と画像表示領域１２との境界近傍のエリアとなる。
【００６６】
図７は、劣化量と補正量の関係の説明に供する概念図である。
【００６７】
境界近傍エリアは、前述のＬNの初期からの和ＳI~VIになるがそれに対して劣化量をあらかじめ記憶してある図１０の特性より求めると、例えば図７（ａ）に示す値ＲI~VIとなった。図７（ａ）に示すように、Ｉは全く黒帯状の非点灯領域を表示しない位置であり、Ｉ〜ＶＩ中で最も劣化が進んでいる。ＶＩは黒帯状の非点灯領域が生じれば必ず表示される個所であり、最も劣化が遅れている。
【００６８】
補正は最も劣化が進んでいるＩに合わせるように画像データを補正する。例えば図７（ｂ）に示すＴI~VIの割合で補正する。即ち、Ｉは補正せず（ＴI＝１）、ＴVIは最も輝度を落として表示させることとなる。また本実施形態では、図３の帯状領域１１全体をＴVIの値で補正する。
【００６９】
以上の様に帯状領域１１を補正することで、当該帯状領域１１のエッジ部分の焼付きが視認されなくなる。この際に記憶していくデータとしては、本実施形態の場合Ｉ〜ＶＩの輝度積算量ＳI~VIの６の値のみ、上下の帯状領域１１，１３を考えても１２の値を記憶部４１（図１参照）に記憶すればよい。従来のように全画素の輝度積算等は記憶しなくてもよいため、システムの軽量化、簡便化及び低コスト化が図れる。
【００７０】
［実施形態２の駆動方法］
本実施形態の駆動方法は、実施形態１の駆動方法と同様に、表示位置補正手段としての映像信号補正部４の補正データを生成する動作に特徴を有する。
【００７１】
実施形態１と同様に、シフトレジスタ２３（図１参照）のサンプリングのタイミングを制御することによって表示位置を移動させる場合、ある領域を均一な確率で移動させることは、焼付きの低減にとって有効なことである。
【００７２】
図８は、表示位置の移動の説明に供する図である。
【００７３】
図８（ａ）は表示位置の移動確率を示す。本実施形態では、横５画素、縦５画素の範囲で移動させる場合を用いて説明する。したがって、各画素への移動確率は２５分の１とする。縦位置の上と下に確率ゼロで示した画素部分は、それ以外の位置へは移動しないということを示した。なお、図８（ａ）あるいは（ｂ）は、図１の駆動制御回路３から送られてくる情報であり、本発明における特徴的な部分である。
【００７４】
実施形態１で説明した同様に、縦方向の位置変化のみが図３の帯状領域１１と画像表示領域１２との境界の焼き付きに影響があるので、縦方向位置の移動確率を図８（ｂ）に示した。
【００７５】
図９は、劣化量と補正量の関係の説明に供する図である。
【００７６】
図８（ｂ）における縦位置での移動確率は、図９（ａ）に示すように、−２〜２までが５分の１となり、他はゼロとなる。図９（ａ）は、図８（ｂ）をグラフに表示したものである。このときの焼き付き量の期待値は、図９（ｂ）の様になる。
【００７７】
図９（ｂ）に示すように、縦位置−２は必ず画像表示領域１２（図３参照）にある。縦位置３は、帯状領域１１の表示時には必ず帯状領域１１にある。したがって、上記と同様に議論すると、最も焼き付き量が多いものは縦位置−２となり、最も少ないものは縦位置３となる。
【００７８】
このときの焼き付き量をそれぞれａ、ｂとする。このとき、ａは画像表示領域１２（図３参照）の平均輝度の積算値（Ｓａ）から図１０の特性テーブルによって求めた劣化量であり、ａ＝１−Ｒａである。ｂは上記平均輝度を帯状領域が出ていない時だけ積算した積算値（Ｓｂ）から図１０の特性テーブルによって求めた劣化量ｂ＝１−Ｒｂである（Ｒａ、Ｒｂは図１０参照）。なお、ここでの平均輝度は画像データから表示パネルの表示特性等を考慮し演算によって求める。
【００７９】
等確率で移動することから、各縦位置の劣化量は図９（ｂ）の様に等間隔になることが予想される（図９（ｂ）の黒丸の点）。この劣化量分布から最大の劣化状態（縦位置−２）に合わせるように、図９（ｃ）の様な補正をかけることができる。図９（ｃ）の縦軸は補正係数を示す。縦位置−２では最も劣化量が大きいため、補正はしない（１倍）。最も劣化量が少ない縦位置３では、α（＜１）倍することによって補正を行なう。中間の縦位置（−１〜２）までは図９（ｃ）の黒丸の点の値（１−αを等分にした値から算出）によって補正をかけることができる。
【００８０】
したがって補正としては、実施形態１と同様に帯状領域、及び帯状領域と画像表示領域の境界周辺で行なう。即ち、図３の帯状領域１１、及び帯状領域１１と画像表示領域１２との境界近傍（境界が表示位置の移動によって動く範囲）、帯状領域１３、及び帯状領域１３と画像表示領域１２との境界近傍の４エリアとなる。
【００８１】
なお、本実施形態で記憶するデータは画像表示領域１２の平均輝度の積算値ＳａとＳｂの２値のみでよく、実施形態１と同様に全画素の輝度積算等は記憶しなくてもよいため、システムの軽量化、簡便化及び低コスト化が図れる。
【００８２】
以上説明したように、本実施形態の表示装置１００及びその駆動方法によれば、映像信号補正部４がシフトレジスタ２３でサンプリングした画像データを処理して、入力された映像信号を補正する。映像信号補正部４による映像信号の補正により、有機ＥＬ素子の変化の補償と表示位置の移動とを組み合わせた場合の誤補正が防止される。
【００８３】
即ち、細い線や小さな文字、小さなアイコン表示などの表示パネル全面にわたって表示される固定パターンの焼き付きが抑制されると共に、表示サイズの違いによる帯状領域１１，１３（図３参照）のような面積の大きな領域の焼き付きが抑制される。よって、本実施形態によれば、焼き付きによる画質劣化のない良好な表示が可能な表示装置１００が実現される。
【００８４】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【産業上の利用可能性】
【００８５】
本発明は、デジタルビデオカメラ、デジタルスチルカメラ、テレビモニタ等の入力信号によってアスペクト比が異なる映像を表示する表示装置に利用できる。
【符号の説明】
【００８６】
１  表示パネル、２  駆動部、３  駆動制御回路、４  表示位置補正手段（映像信号補正部）、２３  表示位置移動手段（シフトレジスタ）
【図１】
2013250467.tif 000003
【図２】
2013250467.tif 000004
【図３】
2013250467.tif 000005
【図４】
2013250467.tif 000006
【図５】
2013250467.tif 000007
【図６】
2013250467.tif 000008
【図７】
2013250467.tif 000009
【図８】
2013250467.tif 000010
【図９】
2013250467.tif 000011
【図１０】
2013250467.tif 000012
【図１１】
2013250467.tif 000013